(57)【要約】      （修正有）【課題】簡単な構造で家屋に収納可能であり、親子や老若男女を問わず気軽に健康維持を図ることができ、家族で使用することができる家庭用健康器具を提供する。【解決手段】金属製の縦フレーム材１４，１５，１６，１７と横フレーム材２０，２１，２２，２３により中空の矩形に形成され、人が入って運動可能に形成された健康器具本体１２を備える。健康器具本体１２内に取り付けられたぶら下がり用のロープ３４と、健康器具本体１２内に取り付けられ高さ調節自在に設けられた横部材４２とを備える。健康器具本体内で、ロープ３４や横部材４２を利用して運動可能に設けられている。ロープ３４は、天井側から床付近まで設けられ、途中に複数の結び目３４ａが形成されている。【選択図】図１
0003176473.tif 000002
【実用新案登録請求の範囲】
【請求項１】
金属製フレーム材又は木材により中空の矩形に形成され、人が入って運動可能に形成された健康器具本体と、この健康器具本体内に取り付けられたぶら下がり用のロープと、前記健康器具本体内に取り付けられ高さ調節自在に設けられた横部材とを備え、前記健康器具本体内で、前記ロープや前記横部材を利用して運動可能に設けられたことを特徴とする家庭用健康器具。
【請求項２】
前記ロープは、天井側から床付近まで設けられ、途中に複数の結び目が形成された請求項１記載の家庭用健康器具。
【請求項３】
前記金属製フレーム材は、金属パイプである請求項１又は２記載の家庭用健康器具。
【請求項４】
前記健康器具本体は、プライベートスペースとして利用可能である請求項１又は２記載の家庭用健康器具。
【考案の詳細な説明】
【技術分野】
【０００１】
この考案は、家庭内の狭い空間で手軽に運動することができ、家族の健康を維持増進するための家庭用健康器具に関する。
【背景技術】
【０００２】
従来、家庭内で使用する運動器具として、室内ランニングマシンや室内バイク、ぶら下がり健康器具等、種々の健康器具が提案されている。
【０００３】
例えば、特許文献１には、縦フレーム材及び横フレーム材を枠状に組み合わせ、人が中に入ってぶら下がることができるように組み立てられた直方体形状のぶら下がり健康器具が開示されている。さらに、特許文献２には、縦横のフレーム材を枠状に組み立てて作られた直方体形状のぶら下がり用健康器具に、発泡ウレタン等の柔らかいコラム体若しくは柔らかいパンチングボール体の打撃具を吊り下げるための係止部を設け、打撃具を拳で打ったり足で蹴ったりしてトレーニングする健康器具も提案されている。
【０００４】
また、特許文献３には、直方体形状に木材で形成された空間を設け、この空間内に棚やベッドを設置して、屋内に設置可能な多目的のプライベートスペースとして利用する木造構造体も提案されている。
【先行技術文献】
【特許文献】
【０００５】
【特許文献１】実用新案登録第３０６５３０６号公報
【特許文献２】特開２００３−２２０１０１号公報
【特許文献３】特開２００２−２０９６５２号公報
【考案の概要】
【考案が解決しようとする課題】
【０００６】
特許文献１，２に開示された金属フレーム材を用いたぶら下がり用健康器具は、両手を延ばした状態で天井部分の横フレームにぶら下がる構造であり、握力の強い大人しか利用できず、握力の弱い老人や小さい子供は利用できないものである。しかも、トレーニングとしては、ぶら下がりしかできないものであった。また、特許文献２に開示されたぶら下がり用健康器具の場合も、ボクシングやキックボクシング、空手等の打撃を用いる特定の運動のトレーニングに限られるものであった。
【０００７】
特許文献３に開示された多目的スペースの木造構造体は、単にベッドルームや個人のプライベートスペースとして利用されるもので、健康増進に貢献できる構造ではない。
【０００８】
この考案は、上記背景技術に鑑みて成されたものであり、簡単な構造で家屋に収納可能であり、親子や老若男女を問わず気軽に健康維持を図ることができ、家族で使用することができる家庭用健康器具を提供することを目的とする。
【課題を解決するための手段】
【０００９】
この考案は、金属製フレーム材又は木材により中空の矩形に形成され、人が入って運動可能に形成された健康器具本体と、この健康器具本体内に取り付けられたぶら下がり用のロープと、前記健康器具本体内に取り付けられ高さ調節自在に設けられた横部材とを備え、前記健康器具本体内で、前記ロープや前記横部材を利用して運動可能に設けられた家庭用健康器具である。
【００１０】
前記ロープは、天井側から床付近まで設けられ、途中に複数の結び目が形成されたものである。
【００１１】
前記金属製フレーム材は、金属パイプや、アングル材でも良い。前記木材は、支柱と土台、床材、パネル、及び梁部材等からなる。
【００１２】
前記健康器具本体は、周囲をカーテンやパネルで覆うことにより、プライベートスペースとしても利用可能なものである。
【考案の効果】
【００１３】
この家庭用健康器具は、金属フレームや木材を組み立てて簡単に屋内に設置することができ、安全であり老若男女や使用者の体力を問わず、使用目的や体力に合わせて、手軽に健康増進を図ることができ、家族や仲間と共に使用することにより、家族等の間で共通の話題ができ、互いの絆も深めることができる。
【図面の簡単な説明】
【００１４】
【図１】この考案の家庭用健康器具の第一実施形態を示す斜視図である。
【図２】第一実施形態の家庭用健康器具の部分破断斜視図である。
【図３】第一実施形態の家庭用健康器具の使用状態を示す部分破断斜視図である。
【図４】この考案の家庭用健康器具の第二実施形態を示す斜視図である。
【図５】第二実施形態の家庭用健康器具の使用状態を示す部分破断斜視図である。
【考案を実施するための形態】
【００１５】
以下、この考案の第一実施形態について、図１〜図３に基づいて説明する。この実施形態の家庭用健康器具１０は、枠状に組み立てられた健康器具本体１２から成る。健康器具本体１２は直方体形状に形成され、四隅の縦フレーム材１４，１５，１６，１７の両端部に、連結部材１８を介して、両端部がコ字状に直角に折り曲げられた横フレーム材２０，２１，２２，２３を連結固定して構成されている。底面側の横フレーム材２０，２１間には、水平方向に２本の間隔フレーム材２４，２５が設けられ、天面側の横フレーム材２２，２３間にも、水平方向に、間隔フレーム材２４，２５と等しい長さの間隔フレーム材２６，２７，２８が架設されている。さらに、縦フレーム材１５，１６間及び縦フレーム材１４，１７間にも間隔フレーム材２４，２５と等しい長さの間隔フレーム材２９を適宜取り付けられている。上下の横フレーム材２０，２２間には、垂直方向に支柱フレーム材３０，３１が固定され、反対側の上下の横フレーム材２１，２３間にも、垂直方向に支柱フレーム材３２，３３が固定されている。各フレーム材は、鉄やアルミ合金の金属パイプが好ましく、強度を保つことができれば、鉄製のアングル材やその他アルミニウム押出形材を用いても良い。
【００１６】
天面側中央部の間隔フレーム材２７には、ぶら下がり用のロープ３４が底面近傍に延びて吊り下げられている。ロープ３４の途中には、所定間隔で結び目３４ａが複数箇所に設けられ、手で握りやすいように形成されている。
【００１７】
正面側の縦フレーム１５と支柱フレーム３１間には、水平方向に高さ調節部材３６が、垂直方向に移動可能に設けられ、背面側の縦フレーム１６と支柱フレーム３３間にも、水平方向に高さ調節部材３８が、垂直方向に移動可能に設けられている。高さ調節部材３６，３８は、縦フレーム１５，１６と支柱フレーム３１，３３に、摺動部材４０により上下方向に移動自在に取り付けられ、図示しない固定部材により所望の位置で固定可能に設けられている。高さ調節部材３６，３８間に、掴まり用の横部材４２が架設され、任意の位置に固定して、各種運動に使用することができるように設けられている。
【００１８】
健康器具本体１２の大きさは、例えば高さが１８００ｍｍ〜２２００ｍｍ、奥行きが１０００ｍｍ〜２０００ｍｍ、幅が２０００ｍｍ〜３０００ｍｍ程度の大きさであれば良い。この範囲内であれば、十分な余裕をもって健康器具本体１２内で、種々の運動を行うことができ、両手で間隔フレーム材２６，２７，２８等を保持してぶら下がることも出来る。
【００１９】
次に、この実施形態の家庭用健康器具１０の使用方法について説明する。この実施形態の家庭用健康器具１０の使用方法は、図２に示すように、トレーニングする人ｈが、ぶら下がり用のロープ３４の結び目３４ａ部分に捉まって、ロープ３４に体重を掛けるようにしてぶら下がる。この時、足は床面に付いているので、自分の握力や体力に合わせて、足で床面を支える力とロープ３４に掛ける体重を調節し、ぶら下がり時間も調節する。特に高齢者がこのぶら下がりを繰り返すことにより、脊髄が延ばされて腰痛が改善し、持久力も付く。また、子供がこのぶら下がりで遊ぶことにより、自然に体力が増強される。また、周囲をカーテンやパネルで覆うことにより、プライベートスペースとしても利用可能なものである。
【００２０】
その他の使用方法として、図３に示すように、トレーニングする人ｈが、所望の位置に高さを調節した横部材４２に捉まって、体幹を斜め４５度程度に傾けて、腕立て伏せの運動をしたり、足踏みをしたりする運動を行うことができる。この運動は、高齢者には体に負担なく、安全に手足の運動を行うことができる。
【００２１】
この実施形態の家庭用健康器具１０によれば、フレーム材を組み立てて簡単に室内に設置することができ、各種の運動を家族で自由に行うことができ、使用者の体力を問わず、使用目的や体力に合わせて、手軽に健康増進を図ることができる。しかも、家族で使用することにより、家庭内のコミュニケーションを増進することができ、家族の絆も深めることができる。
【００２２】
次に、この発明の家庭用健康器具の第二実施形態について、図４，図５を基にして説明する。ここで、上記実施形態と同様の部材は、同一の符号を付して、説明を省略する。この実施形態の家庭用健康器具５０は、木材を用いて直方体形状に健康器具本体５１を形成したもので、四隅に支柱５２，５３，５４，５５を備え、支柱５２，５４の底面側の下端部間には土台部材５６を備え、天面側の上端部間には梁部材５８を備えている。同様に、支柱５３，５５の底面側の下端部間には土台部材５７を備え、天面側の上端部間には梁部材５９を備えている。また、支柱５２，５３の下端部間には土台部材６０を備え、天面側の上端部間には梁部材６１を備え、支柱５４，５５の下端部間には土台部材６２を備え、天面側の上端部間には梁部材６３を備えている。
【００２３】
土台５６，５７，６０，６２内には、床材６４が設けられ、健康器具本体５１の四方の側面は、正面中央部の出入り口部６５を除いて、壁パネル６６により覆われている。
【００２４】
天面側の梁部材５８，５９の中央部間には、横梁部材６７が張設され、横張部材６７の中央部に、ぶら下がり用のロープ３４が吊り下げられている。支柱５２，５３の中間部のやや下方には、平行に内側に延出した横部材である棚板６７が設けられている。棚板６７は、図示しない調節装置により、高さを自由に調節して、位置を固定することができる。なお、この家庭用健康器具５０の大きさも上記実施形態の家庭用健康器具１０と同様である。
【００２５】
次に、この実施形態の家庭用健康器具５０の使用方法について説明する。この実施形態の家庭用健康器具５０の使用方法は、図５に示すように、上記実施形態と同様に、ぶら下がり用のロープ３４に捉まってロープ３４に体重を掛けるようにしてぶら下がる。この時、自分の握力や体力に合わせてロープ３４に掛ける体重を調節し、ぶら下がり時間も調節する。さらに、その他の使用方法として、図５に示すように、トレーニングする人ｈが、所望の位置に高さを調節した棚板６７に手を置いて、体幹を斜め４５度程度に傾けて、上記実施形態と同様に、腕立て伏せの運動をしたり、足踏みをしたりする運動を安全に行うことができる。
【００２６】
この実施形態の家庭用健康器具５０によっても、上記実施形態と同様の効果を得ることができ、さらに、木製であり、木のぬくもりがあるもので、屋内に違和感なく設置することができる。また、出入り口部６５を図示しないカーテン等で覆うことにより、プライベートスペースとしても利用することができる。
【００２７】
なお、この考案の家庭用健康器具は、上記実施形態に限定されるものではなく、健康器具本体内に設置する運動用具は、ぶら下がり用のロープや横部材等の他、自転車やランニングマシンのような装置を入れても良く、斜面や他のロープを取り付けて、任意の体操や運動尾可能とすることができる。
【符号の説明】
【００２８】
１０，５０  家庭用健康器具
１２，５１  健康器具本体
１４，１５，１６，１７  縦フレーム材
２０，２１，２２，２３  横フレーム材
２４，２５，２６，２７，２８，２９  間隔フレーム材
３４  ロープ
３４ａ  結び目
３６，３８  高さ調節部材
４０  摺動部材
４２  横部材
【図１】
0003176473.tif 000003
【図２】
0003176473.tif 000004
【図３】
0003176473.tif 000005
【図４】
0003176473.tif 000006
【図５】
0003176473.tif 000007